【手続補正書】
【提出日】令和3年10月1日(2021.10.1)
【手続補正１】
【補正対象書類名】明細書
【補正対象項目名】０００６
【補正方法】変更
【補正の内容】
【０００６】
本発明に係る電子辞書装置は、メイン画面に表示されている文字情報の中から、ユーザ操作により文字列が指定されたことに応じて、第１エリアと第２エリアとを含むサブ画面を表示させ、前記指定された文字列に対応する第１情報を第１辞書データから検索し、前記第１情報を前記第１エリア内に表示させ、ユーザが操作可能な第１アイコンを前記第２エリアに表示させ、前記第１アイコンに対するユーザの操作に応じて、前記指定された文字列を対象とした処理を実行する、制御部を備えている。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
メイン画面に表示されている文字情報の中から、ユーザ操作により文字列が指定されたことに応じて、
第１エリアと第２エリアとを含むサブ画面を表示させ、
前記指定された文字列に対応する第１情報を第１辞書データから検索し、
前記第１情報を前記第１エリア内に表示させ、
ユーザが操作可能な第１アイコンを前記第２エリアに表示させ、
前記第１アイコンに対するユーザの操作に応じて、
前記指定された文字列を対象とした処理を実行する、
制御部を備える電子辞書装置。
【請求項２】
前記制御部は、前記サブ画面を前記メイン画面の一部に重畳して表示させる、
請求項１に記載の電子辞書装置。
【請求項３】
前記制御部は、メイン画面に表示されている文字情報の中から、ユーザ操作により文字列が指定されたことに応じて、前記メイン画面に表示されている文字情報のうちの前記サブ画面と重畳されない部分の表示状態を維持したままで前記サブ画面を表示させる、
請求項２に記載の電子辞書装置。
【請求項４】
前記制御部は、前記第１アイコンに対するユーザの操作に応じて、
前記指定された文字列に対応する第２情報を第２辞書データから検索し、
前記第２情報を前記メイン画面内に表示させる、
請求項１乃至３のいずれか一項に記載の電子辞書装置。
【請求項５】
前記第２辞書データは、複数の単語それぞれに対応する通常の説明情報である通常説明情報を集録した通常辞書データであり、
前記第１辞書データは、複数の単語それぞれに対応する前記通常の説明情報よりも簡約化された説明情報である簡易説明情報を集録した簡易辞書データであり、
前記制御部は、前記指定された文字列に対応する単語に対応付けて前記第１辞書データに収録されている前記簡易説明情報を前記第１情報として検索し、前記指定された文字列に対応する単語に対応付けて前記第２辞書データに収録されている前記通常説明情報を前記第２情報として検索する、
請求項４に記載の電子辞書装置。
【請求項６】
少なくとも１つの前記簡易辞書データと、複数の前記通常辞書データとを記憶した辞書記憶部を有し、
前記制御部は、
前記メイン画面に表示されている文字情報の中から、ユーザ操作により文字列が指定されたことに応じて、
前記指定された文字列に対応する単語に対応付けて１つの前記簡易辞書データに収録されている前記簡易説明情報を前記第１情報として検索し、
検索された１つの前記簡易説明情報を前記第１エリア内に表示させ、
前記第１アイコンに対するユーザの操作に応じて、
前記指定された文字列に対応する単語に対応付けて複数の前記通常辞書データのそれぞれに収録されている複数の前記通常説明情報を前記第２情報として検索し、
検索された複数の前記通常説明情報または複数の前記通常説明情報それぞれに対応する複数の単語を、前記メイン画面内に一覧表示させる、
請求項５に記載の電子辞書装置。
【請求項７】
前記制御部は、
前記メイン画面内に複数の前記通常説明情報それぞれに対応する複数の単語を一覧表示させている場合に、一覧表示されているいずれかの単語を指定する操作に応じて、指定された単語に対応する前記通常説明情報を表示させる、
請求項６に記載の電子辞書装置。
【請求項８】
前記辞書記憶部は、複数の前記簡易辞書データを記憶し、
前記制御部は、
前記メイン画面に表示されている文字情報の中から、ユーザ操作により文字列が指定されたことに応じて、
前記辞書記憶部に記憶されている前記複数の前記簡易辞書データのうちの１つの前記簡易辞書データを前記第１辞書データとして選択する、
請求項６または７に記載の電子辞書装置。
【請求項９】
前記メイン画面および前記サブ画面を表示する画面上にタッチパネルが配置された表示部を備え、
前記制御部は、
前記メイン画面内に表示されている文字情報の中から、ユーザのタッチ操作に応じて文字列が指定されたことを検出し、
前記サブ画面の前記第２エリア内に表示された前記第１アイコンに対して前記ユーザのタッチ操作が行われたことを検出する、
請求項１乃至８のいずれか一項に記載の電子辞書装置。
【請求項１０】
前記制御部は、
前記第１アイコンに対するユーザの操作に応じて、
前記指定された文字列に対応する単語を、前記辞書記憶部に記憶された前記複数の前記通常辞書データの内の、一つの前記通常辞書データの中から検索し、検索された単語または検索された単語に対応する前記通常説明情報を前記メイン画面内に表示させる、
請求項６乃至８のいずれか一項に記載の電子辞書装置。
【請求項１１】
前記制御部は、
前記メイン画面に第２アイコンを表示させ、
前記指定された文字列に対応して一つの前記通常辞書データから検索された複数の単語または検索された複数の単語に対応する複数の前記通常説明情報を前記メイン画面内に一覧表示させる第１表示と、
前記指定された文字列に対応して複数の前記通常辞書データそれぞれから検索された複数の単語または検索された複数の単語に対応する複数の前記通常説明情報を前記メイン画面内に一覧表示させる第２表示と、
を前記第２アイコンの操作に応じて切り換える、
請求項６乃至８のいずれか一項に記載の電子辞書装置。
【請求項１２】
前記制御部は、
前記第２アイコンの操作に応じて、切り換えられた前記第１表示または前記第２表示に必要な情報を辞書データから検索する、
請求項１１に記載の電子辞書装置。
【請求項１３】
前記制御部は、
前記第１表示および前記第２表示に必要な情報を辞書データから検索して記憶しておき、
前記第２アイコンの操作に応じて、切り換えられた前記第１表示または前記第２表示に対応する情報を読み出して表示させる、
請求項１１または１２に記載の電子辞書装置。
【請求項１４】
前記制御部は、
前記第１表示と前記第２表示のいずれを最終的に使用したかを示す前回選択情報を記憶させ、
前記サブ画面の前記第２エリア内に表示した前記第１アイコンに対してユーザの操作が行われたとき、記憶されている前記前回選択情報に基づいて、前記第１表示と前記第２表示のいずれの表示を行うかを決定する、
請求項１１乃至１３のいずれか一項に記載の電子辞書装置。
【請求項１５】
前記制御部は、
前記第１表示として、いずれか一つの前記通常辞書データから検索された複数の単語または前記複数の単語それぞれに対応する複数の前記通常説明情報を表示した前記メイン画面に、複数の前記通常辞書データそれぞれに対応する複数の辞書名タブアイコンを表示させ、
前記複数の辞書名タブアイコンの一つに対するユーザの選択操作に応じて、選択された辞書名タブアイコンに対応する一つの前記通常辞書データから検索された複数の単語または前記複数の単語それぞれに対応する複数の前記通常説明情報の表示に切り替える、
請求項１１乃至１４のいずれか一項に記載の電子辞書装置。
【請求項１６】
前記制御部は、
前記選択された辞書名タブアイコンに対応する一つの前記通常辞書データが何れであるかを示す前回選択辞書情報を記憶し、
前記第２アイコンに対するユーザの操作に応じて、記憶されている前記前回選択辞書情報で示される前記通常辞書データから検索された複数の単語または前記複数の単語それぞれに対応する複数の前記通常説明情報を前記メイン画面に表示させる、
請求項１５に記載の電子辞書装置。
【請求項１７】
前記制御部は、
前記第１アイコンに対するユーザの操作に応じて、前記サブ画面の表示を消去する、
請求項１１乃至１６のいずれか一項に記載の電子辞書装置。
【請求項１８】
前記制御部は、
メイン画面に表示されている文字情報の中から、ユーザ操作により文字列が指定されたことに応じて、
前記第１アイコンを含むユーザが操作可能な複数のアイコンを前記第２エリアに表示させ、
前記複数のアイコンのいずれかに対するユーザの操作に応じて、
前記指定された文字列を対象として、複数の処理の中からユーザが操作したアイコンに対応する処理を選択して実行する、
請求項１１乃至１７のいずれか一項に記載の電子辞書装置。
【請求項１９】
装置が、
メイン画面に表示されている文字情報の中から、ユーザ操作により文字列が指定されたことに応じて、
第１エリアと第２エリアとを含むサブ画面を表示させ、
前記指定された文字列に対応する第１情報を第１辞書データから検索し、
前記第１情報を前記第１エリア内に表示させ、
ユーザが操作可能な第１アイコンを前記第２エリアに表示させ、
前記第１アイコンに対するユーザの操作に応じて、
前記指定された文字列を対象とした処理を実行する、
電子辞書の検索方法。
【請求項２０】
コンピュータに、
メイン画面に表示されている文字情報の中から、ユーザ操作により文字列が指定されたことに応じて、
第１エリアと第２エリアとを含むサブ画面を表示させ、
前記指定された文字列に対応する第１情報を第１辞書データから検索し、
前記第１情報を前記第１エリア内に表示させ、
ユーザが操作可能な第１アイコンを前記第２エリアに表示させ、
前記第１アイコンに対するユーザの操作に応じて、
前記指定された文字列を対象とした処理を実行する、
処理を実行させるための制御プログラム。